【事件の表示】
　平成３年特許願第１４３６６７号「カードスイッチ装置」拒絶査定不服審判事件〔平成４年１２月２１日出願公開、特開平４−３６８７３０号〕について、次のとおり審決する。
【結　論】
　本件審判の請求は、成り立たない。
【理　由】
１．手続の経緯・本願発明
　本願は、平成３年６月１５日の出願であって、その請求項１に係る発明は、平成１３年８月２日付け手続補正書によって補正された明細書及び図面の記載からみて、次のとおりのものと認める。（以下、「本願発明」という。）
【請求項１】「使用カードの挿入方向の長さ寸法に近い取り付けピッチを持つアウトレットボックスに対応した大きさに装置本体を形成し、この装置本体の上面にはカード挿入口を設け、内部にはカード挿入口から挿入されたカードにより駆動されるスイッチ部を設け、正面には位置表示用の照光表示部を設け、背面にはアウトレットボックスに対応する取付手段を備えて、装置本体の背面上部に、アウトレットボックスに取り付ける取り付け枠の上端に設けた係止突起を下方から挿入する下向き開口の係止穴を設け、装置本体背面下部に取り付け枠の下部より前方へ突設した固定片を挿入する凹所を設け、凹所に対応する装置本体下面にこの凹所内に挿入される固定片に設けた螺子孔に螺合する螺子を挿通する挿通孔を設け、これら係止穴、凹所、挿通孔で上記取り付け手段を構成したことを特徴とするカードスイッチ装置。」
　
２．引用刊行物
　これに対して、原査定の拒絶の理由に引用した、本願出願の日前に頒布された実願平１−９５４９６号（実開平３−３５６３２号）のマイクロフイルム（以下、「引用刊行物」という。）には、第１〜６図とともに以下の事項が記載されている。
（１）「動作片を押してＯＮ、ＯＦＦが行われる室内電源開閉用のスイッチと、壁体などに固定された固定部材に回動可能に取付けられ、カード挿入口及びこの挿入口に連通したカード挿入用空間が形成された回動体と、前記カード挿入用空間に対するカードの挿・抜によって前記回動体の回動を制御する制御部材とよりなり、前記カード挿入用空間にカードを挿入すると、前記回動体を回動して前記動作片を押しスイッチをＯＮにすることが可能になり、かつそのスイッチＯＮ状態では前記カードの抜き取りが不可能になるよう構成してあることを特徴とする室内電源の開閉装置。」（実用新案登録請求の範囲）
（２）「｛従来の技術｝ホテルその他の各種の独立状態に設けられた室内電源の開閉装置として、例えば、第６図に示したものが知られている。第６図において、41は照明具や空調機器などの電気器具で、これがパワーリレー42を介在させてＡＣ電源43に接続されている。」（明細書第２頁第３〜９行）
（３）「｛考案が解決しようとする課題｝前記従来の室内電源の開閉装置は、カードスイッチ44にカードを挿入またはそれを抜き取ることによって、カードスイッチ44内のマイクロスイッチをＯＮ、ＯＦＦするのみであるから使用は簡単である。」（同書第３頁第４〜９行）
（４）「第１〜４図において、１は壁体などに埋め込まれるボックスで、その一側に開口部２が形成されている。３は取付板で、これは開口部２に重ねてボックス１に取付ねじ4a,4bで固定される。5aは取付板３の上部に設けられたフック、5bは取付板３の下端に突設された支持片、６は固定部材としての支持プレートで、その上端に形成した係止孔７で前記フック5aに係止され、かつ止ねじ８で取付板３に取付けられている。９は支持プレート６の下部に突設された支持片、10a,10bは支持プレート６の両側端に立設されたブラケット（第４図参照）である。」（同書第６頁第１０行〜第７頁第１行）
（５）「11は回動体で、・・・前記ブラケット10a,10bに回動可能に取付けられている。そして、この回動体11はボックス状に形成されて、その内部がカード挿入用空間13にされ、その上壁に挿入口14が形成され・・・ている。」（同書第７頁第２〜８行）
（６）「27は固定部材としてのカバーで、これは枠状に形成されて回動体11の外周部に配置れ、かつ前記支持プレート６などを被覆して、上端部に形成された係止片28を支持プレート６の上端に係止し、かつ下端部を前記支持片5b，９間に挿入して、連結ねじ29で支持片5b，９に固定されている。」（同書第８頁第１５〜２０行）
（７）「32はタンブラースイッチで、その動作片33側の部分を回動体11側に突出させて支持プレート６に取付られて、前記ボックス１内に収容されている。・・・このように構成された開閉装置は、第１図に示したように、ボックス１を、例えば壁体36に埋め込み固定して、それに取付板３を固定し、この取付板３に支持プレート６を回動体11と共に取付け、かつカバー27を取付けるものである。」（同書第９頁第６〜１７行）
（８）「カード35で扉錠を解錠して室内に入り、スイッチ32をＯＮにするときは、挿入口14から回動体11内にカード35を挿入する。すると、カード35が接触斜面19を押して制御部材17を回動させ、ストッパー20が係止孔31から抜けて回動体11が回動可能になるから、回動体11の上側を押して第１図に示したようにカバー27内に入れ、加圧片21aで動作片33の上部を押す。このため、スイッチ32がＯＮになるものである。」（同書第１１頁第５〜１３行）
（９）「カード35とボックス１とは、カード35の挿入方向の長さがほぼ等しい」（第１，３図）こと。
（１０）「カバー27はボックス１を覆う大きさである」（第１〜３図）こと。
（１１）「取付板３のフック5aは、取付板３の上端から支持プレート６側へほぼ水平に延出した後斜め上方に屈曲しており、フック5aは支持プレート６の係止孔７を通って、ほぼ水平に延出した部分が、当該係止孔７の上部に当接している」（第１，３図）こと。および
（１２）「取付板３の下端に突設された支持片5bは、カバー27の下面に設けた溝状の凹部に位置してカバー27を固定し、当該凹部は支持片5bに従って背面にまで延びてそこに開口しており、連結ねじ29で固定するための孔が支持片5b，支持プレート６の支持片９及びカバー27に設けられている」（第１〜３図）こと。
　上記（１）〜（１２）の記載及び図面を総合すると、引用刊行物には、以下の発明（以下、「引用発明」という。）が記載されていると認められる。
「カード35の挿入方向の長さにほぼ等しい長さの壁体に埋め込まれるボックス１と、これを覆う大きさのカバー27及び支持プレート６と、
このカバー27及び支持プレート６に取付けられた回動体11の上壁に挿入口14が形成され、挿入口14から回動体11内にカード35を挿入し、回動体11の上側を押してＯＮされるスイッチ32を支持プレート６に設け、
支持プレート６の上端に、ボックス１に取り付けられる取付板３の上端に設けられ上方に屈曲したフック5aを挿入し係止する係止孔７を設け、
カバー27の下面には取付板３の下端に突設された支持片5bを位置させ、支持片5bに従って背面にまで延びて開口する、溝状の凹部を設け、
凹部に対応するカバー27の下面にこの凹部内に位置する支持片5bに設けた孔を通して固定する連結ねじ29を挿通する孔を設けた、室内電源の開閉装置。」
　
３．対比・判断
本願発明と引用発明とを対比すると、その機能・構造からみて、後者の「カード35」は前者の「使用カード」に相当し、以下同様に、「壁体に埋め込まれるボックス１」は「アウトレットボックス」に、「カバー27及び支持プレート６」及び「回動体11」は「装置本体」に、「挿入口14」は「カード挿入口」に、「支持プレート６の上端」は「装置本体の背面上部」に、「カバー27の下面」は「装置本体背面下部」に、「取付板３」は「取り付け枠」に、「フック5a」は「係止突起」に、「係止孔７」は「係止穴」に、「取付板３の下端に突設された支持片5b」は「取り付け枠の下部より前方へ突設した固定片」に、「凹部」は「凹所」に、「凹部に対応するカバー27の下面」は「凹所に対応する装置本体下面」に、「連結ねじ29を挿通する孔」は「螺子を挿通する挿通孔」にそれぞれ相当し、また、後者の「カード35の挿入方向の長さにほぼ等しい長さの・・・ボックス１」は前者の「使用カードの挿入方向の長さ寸法に近い取り付けピッチを持つアウトレットボックス」に、後者の「ボックス１と、これを覆う大きさのカバー27及び支持プレート６」及び「回動体11」からなる構成は前者の「アウトレットボックスに対応した大きさに装置本体を形成し」た構成に、後者の「支持片5bを位置させ、支持片5bに従って背面にまで延びて開口する、溝状の凹部」及び「凹部内に位置する支持片5b」は凹部に支持片5bが挿入されているといえるから前者の「固定片を挿入する凹所」及び「凹所内に挿入される固定片」にそれぞれ相当する。
さらに、後者の「係止孔７」（係止穴）、「凹部」（凹所）、「連結ねじ29を挿通する孔」（挿通孔）は、「カバー27及び支持プレート６」を「ボックス１」（アウトレットボックス）に取り付けているから「取付手段」に相当し、後者においても「背面にはアウトレットボックスに対応する取付手段を備えて」いるといえる。
また、前者が「挿入されたカードにより駆動されるスイッチ部」を有する「カードスイッチ装置」であり後者が「カード35を挿入し、回動体11の上側を押してＯＮされるスイッチ32」を有する「室内電源の開閉装置」であることから、両者は「カードを用いて操作するスイッチ装置」である点で共通するものである。
　そうしてみると、両者は、
「使用カードの挿入方向の長さ寸法に近い取り付けピッチを持つアウトレットボックスに対応した大きさに装置本体を形成し、カード挿入口を設け、背面にはアウトレットボックスに対応する取付手段を備えて、装置本体の背面上部に、アウトレットボックスに取り付ける取り付け枠の上端に設けた係止突起を挿入する係止穴を設け、装置本体背面下部に取り付け枠の下部より前方へ突設した固定片を挿入する凹所を設け、凹所に対応する装置本体下面にこの凹所内に挿入される固定片に設けた螺子孔に螺子を挿通する挿通孔を設け、これら係止穴、凹所、挿通孔で上記取り付け手段を構成したことを特徴とするカードを用いて操作するスイッチ装置。」である点で、一致し、以下の点で両者は相違しているものと認められる。
（１）両者は「カードを用いて操作するスイッチ装置」で共通するものの、前者が「この装置本体の上面には」カード挿入口を設け、「内部にはカード挿入口から挿入されたカードにより駆動されるスイッチ部を設け」た「カードスイッチ装置」であるのに対して、後者は、「カバー27及び支持プレート６に取付けられた回動体11の上壁に」挿入口14（カード挿入口）が形成され、挿入口14から回動体11内にカード35を挿入し、回動体11の上側を押してＯＮされるスイッチ32を支持プレート６に設けた「室内電源の開閉装置」である点。
（２）前者が「正面には位置表示用の照光表示部を設け」ているのに対して後者はそのような構成を有していない点。
（３）係止穴について、前者は、係止突起を「下方から」挿入する「下向き開口の」ものであるのに対して、後者は下向き開口のものではない点。
（４）螺子について、前者は、固定片に設けた螺子孔に「螺合する」のに対して後者は螺子孔に対する螺合が明確ではない点。
　
　そこで、上記相違点について検討する。
相違点（１）について
　カード挿入口を有し、内部にカード挿入口から挿入されたカードにより駆動されるスイッチを設けたカードスイッチ装置は、例えば、実願昭６１−１４６６１８号（実開昭６３−５２２３６号）のマイクロフイルム等に示されるように当該技術分野において周知であって、上記引用刊行物にも、室内電源の開閉装置として挿入されたカードによりＯＮ、ＯＦＦされるマイクロスイッチを内に有するカードスイッチ44〔２．（３）参照〕が従来技術として記載されている。そしてそのようなスイッチ装置において挿入口を装置本体の上面に設けることは、当業者が通常なすべき設計事項にすぎない〔必要であれば、実願昭５６−１０９９５７号（実開昭５８−１５９５４号）のマイクロフイルムや実願昭６３−８４７１４号（実開平２−５８４１号）のマイクロフイルム等参照〕。したがって、引用発明に上記周知のカードスイッチ装置の構成を採用し、それに応じた設計をなす程度のことは、当業者が格別の困難性を要することなくなし得ることと認められる。
相違点（２）について
　スイッチ装置の正面に位置表示用の照光表示部を設けることは、例えば、実願昭６１−１４６６１８号（実開昭６３−５２２３６号）のマイクロフイルムや実願昭５６−１０９９５７号（実開昭５８−１５９５４号）のマイクロフイルム等に示されるように、当該技術分野において周知のことにすぎず、上記周知の事項を採用することは当業者が適宜なし得ることにすぎない。
相違点（３）について
　引用発明の「支持プレート６の壁側の上部に、ボックス１に取り付けられる取付板３の上端に設けられ上方に屈曲したフック5aを挿入し係止する係止孔７」なる構成、上記引用刊行物の「取付板３のフック5aは、取付板３の上端から支持プレート６側へほぼ水平に延出した後斜め上方に屈曲しており、フック5aは支持プレート６の係止孔７を通って、ほぼ水平に延出した部分が、当該係止孔７の上部に当接している」〔２．（１１）参照〕なる記載を参照すると、支持プレート６の係止孔７の内部へ、上方に屈曲したフック5aの先端を下方より挿入し、その基部であるほぼ水平に延出した部分で、係止孔７の上部を支えているのであるから、このような、フックが挿入されて下方より支えるための係止孔の具体的構造として、係止突起（フック5a）を下方から挿入する下向き開口とする程度のことは、当業者にとって格別の困難性を要することなくなし得る設計的事項といえる。
相違点（４）について
　この螺子は装置本体と取り付け枠を固定するものであって、螺子を螺合して螺子の脱落を防止し固定するために、具体的に、螺子が、取り付け枠の固定片と凹所に対応する装置本体下面とのどの孔と螺合するかは当業者が適宜選択し得る設計事項にすぎないと認められる。
　そしてこれら相違点（１）〜（４）を合わせ考えても、本願発明による効果は、引用発明及び周知の技術から当業者が予測できる程度のものであって、格別の作用効果が奏されるとは認められない。
４．むすび
　したがって、本願発明は、引用発明及び周知の技術に基いて当業者が容易に発明をすることができたものであるから、特許法第２９条第２項の規定により特許を受けることができない。
　よって、結論のとおり審決する。